(57)【要約】【課題】第１の通信システム用の第１の参照信号に加えて、第２の通信システム用の第２の参照信号を送信する場合に、第１の通信システムのみに対応する受信装置に対して影響を及ぼすリソースを最小限にし、スループットの劣化を防ぐ。【解決手段】受信装置に対してＬＴＥ用の参照信号４ＲＳに加えて、ＬＴＥ−Ａ用の参照信号ＣＳＩ−ＲＳを伝送する際、ＣＳＩ−ＲＳ用リソースとして、周波数−時間領域に定義されたリソース単位RB/Sub-frameのうちの時間方向で後半側のシンボルを用い、特定のRB/Sub-frameにおける末尾から２シンボルまでの位置、あるいは最終シンボル等にＣＳＩ−ＲＳを配置して送信する。受信装置では、ＣＳＩ−ＲＳ配置情報に基づき、RB/Sub-frameの後半側のシンボルに配置されたＣＳＩ−ＲＳを受信し、このＣＳＩ−ＲＳを用いてＣＱＩ、ＰＭＩ、ＲＩ等のチャネル品質を測定し、チャネル品質情報を含むフィードバック情報を送信装置に送信して報告する。【選択図】図３
2014143693.tif 000002
【特許請求の範囲】
【請求項１】
第１の通信システムに対応する第１の参照信号と第２の通信システムに対応する第２の参照信号とを送信する送信装置であって、
１サブフレームを構成する複数のシンボルと、複数のサブキャリアとで定義されるリソースにおいて、前記第２の参照信号を、前記複数のシンボルのうち、時間方向で後半のシンボルに配置する配置部と、
配置された前記第２の参照信号を送信する送信部と、
を有し、
前記配置部は、一つの配置形態として、前記第２の参照信号を、前記複数のシンボルのうち、時間方向で末尾の２シンボルのみに配置する、
送信装置。
【請求項２】
前記第２の参照信号は、複数のサブフレームのうち、所定のサブフレームに配置され、前記第１の参照信号は、すべてのサブフレームに配置される、
請求項１に記載の送信装置。
【請求項３】
前記第２の参照信号は、ＰＢＣＨ又はＳＩＢ１の送信と重なるサブフレームでは、送信されない、
請求項１又は２に記載の送信装置。
【請求項４】
前記送信部は、前記第２の参照信号の配置に関する情報を送信する、
請求項１から３のいずれか一項に記載の送信装置。
【請求項５】
前記情報は、前記第２の参照信号が配置されるサブフレームを示す、
請求項４に記載の送信装置。
【請求項６】
前記第２の参照信号は、cell-specificである、
請求項１から５のいずれか一項に記載の送信装置。
【請求項７】
前記第２の参照信号は、ＣＱＩ、ＰＭＩ及びＲＩのうち、少なくとも一つを算出するために用いられる、
請求項１から６のいずれか一項に記載の送信装置。
【請求項８】
前記第２の参照信号は、ＣＳＩ−ＲＳである、
請求項１から７のいずれか一項に記載の送信装置。
【請求項９】
前記配置部は、データを、所定シンボルに周波数方向に配置した後、前記所定シンボルの時間方向で次のシンボルに周波数方向に配置する、
請求項１から８のいずれか一項に記載の送信装置。
【請求項１０】
前記配置部は、システマティックビット、パリティビットの順に構成されているデータを、前記リソースに配置する、
請求項１から９のいずれか一項に記載の送信装置。
【請求項１１】
前記第２の通信システムに対応するアンテナポート数は、前記第１の通信システムに対応するアンテナポート数よりも大きい、
請求項１から１０のいずれか一項に記載の送信装置。
【請求項１２】
前記第１の通信システムはＬＴＥであり、前記第２の通信システムはＬＴＥ−Ａｄｖａｎｃｅｄである、
請求項１から１１のいずれか一項に記載の送信装置。
【請求項１３】
第１の通信システムに対応する第１の参照信号と第２の通信システムに対応する第２の参照信号とを送信する送信方法であって、
１サブフレームを構成する複数のシンボルと、複数のサブキャリアとで定義されるリソースにおいて、前記第２の参照信号を、前記複数のシンボルのうち、時間方向で後半のシンボルに配置する配置工程と、
配置された前記第２の参照信号を送信する送信工程と、
を有し、
前記配置工程は、一つの配置形態として、前記第２の参照信号を、前記複数のシンボルのうち、時間方向で末尾の２シンボルのみに配置する、
送信方法。
【請求項１４】
第１の通信システムに対応する第１の参照信号と第２の通信システムに対応する第２の参照信号との送信を制御する集積回路であって、
１サブフレームを構成する複数のシンボルと、複数のサブキャリアとで定義されるリソースにおいて、前記第２の参照信号を、前記複数のシンボルのうち、時間方向で後半のシンボルに配置する配置処理と、
配置された前記第２の参照信号を送信する送信処理と、
を制御し、
前記配置処理は、一つの配置形態として、前記第２の参照信号を、前記複数のシンボルのうち、時間方向で末尾の２シンボルのみに配置する、
集積回路。
【発明の詳細な説明】
【技術分野】
【０００１】
本発明は、セルラーシステム等の無線通信システムに適用可能な送信装置、送信方法及び集積回路に関する。
【背景技術】
【０００２】
セルラーシステム等の無線通信システムでは、伝搬路や伝送信号の各種指標を得るための参照信号が導入されている。例えば、移動体通信の国際的な標準化団体である３ＧＰＰ（3rd Generation Partnership Project）において検討されている次世代通信システムのＬＴＥ（Long Term Evolution）においても、参照信号（Reference Signal：ＲＳ）が用いられる。基地局から端末への下り方向の通信において、送信装置（基地局）から受信装置（端末）に送信する参照信号は、主な用途として、（１）復調用の伝搬路推定、（２）周波数スケジューリングや適応ＭＣＳ（Modulation and Coding Scheme）制御のための品質測定、などに用いる。ＬＴＥでは、ＭＩＭＯ（Multiple Input Multiple Output）を適用するためのマルチアンテナシステムにおいて、所定の無線リソース単位で参照信号が送信される。
【０００３】
ＬＴＥをさらに進めた通信システムであるＬＴＥ−ａｄｖａｎｃｅｄ（以下ＬＴＥ−Ａという）では、さらなる高度化を図るために、高次ＭＩＭＯ（例えば送信８アンテナ）や協調マルチポイント送受信（ＣｏＭＰ）などの導入が検討されている。このため、ＬＴＥで検討されていた参照信号（第１の参照信号）に加えて、ＬＴＥ−Ａ用に追加の参照信号（第２の参照信号）が必要となり、その送信方法が議論されている。
【０００４】
例えば非特許文献１に示されるように、ＬＴＥ−Ａでは前述の用途別に２種の参照信号が検討されている。
（１）Demodulation RS：ＰＤＳＣＨ（Physical downlink shared channel）復調用、ＰＤＳＣＨと同一のレイヤ（layer）数及びプリコーディング（Precoding）を適用、端末（User Equipment：ＵＥ）に特定のもの（UE-specific）
（２）ＣＳＩ−ＲＳ：ＣＳＩ（Channel State Information）観測用、（ＣＳＩとしては、ＣＱＩ（Channel Quality Indicator）、ＰＭＩ（Precoding Matrix Indicator）、ＲＩ（Rank Indicator）などがある)、Precoding適用しない、セルに特定のもの（cell-specific）
ただし用途は排他的な位置づけとしない。具体的には（１）の用途にＣＳＩ−ＲＳを用いても良い、といった想定で議論が進んでいる。
【０００５】
ここで、ＬＴＥのフレーム構成例を図１２に示す。ＬＴＥでは、周波数スケジューリング及び適応ＭＣＳ制御の最小単位は、周波数方向にはリソースブロック（Resource Block：ＲＢ、以下ＲＢという）、時間方向にはSub-frame（サブフレーム）として定義されている。リソース単位となる１つのsub-frame及びＲＢ（以下これを1 RB/Sub-frameと記載する）内の信号構成として、図中Sub-frame#0のＲＢ１５を拡大した枠内に示すように、時間軸の先頭から制御信号と参照信号ＲＳを配置し、続いてデータを配置する構成としている。ここで、1 RB/Sub-frameは、周波数方向に１２のサブキャリア、時間方向に１４のＯＦＤＭシンボルで構成される。参照信号ＲＳは、1 RB/Sub-frame中の特定のＯＦＤＭシンボル、特定のサブキャリアに配置される。これらのＯＦＤＭシンボル及びサブキャリアの単位は、ＲＥ（Resource Element）と呼ばれ、前述のＯＦＤＭシンボル数およびサブキャリア数の場合は1 RB/Sub-frame中に合計１６８個のＲＥとなる。
【０００６】
図１３は上述したＬＴＥ−Ａに対応するＣＳＩ−ＲＳ送信方法の従来例を示す図である。この図１３の例は、ＬＴＥ−Ａ用のＣＳＩ−ＲＳ送信方法の一例として、特定のRB/Sub-frameのみで８アンテナ用ＣＳＩ−ＲＳを送信する方法を示したものである（例えば非特許文献２参照）。図１３のように、斜線で示すRB/Sub-frameのみで８アンテナ用のＣＳＩ−ＲＳ（第２の参照信号）を送信し、その他のRB/Sub-frameではＬＴＥ用の４アンテナ対応の４ＲＳ（第１の参照信号）のみ送信する構成とすることができる。ＣＳＩ−ＲＳを送信する特定のRB/sub-frameでは、ＬＴＥ端末のデータ部をパンクチャ（Puncture）してＣＳＩ−ＲＳが配置される。ここで、1 RB/Sub-frame内の信号構成は、図中Sub-frame#0のＲＢ１２を拡大した枠内に示すように、時間軸の先頭から制御信号とＬＴＥ用の参照信号ＲＳが配置され、続いてＬＴＥ用の参照信号ＲＳとともに８アンテナ用のＣＳＩ−ＲＳ及びデータが配置される構成となっている。この場合、ＣＳＩ−ＲＳはデータ用のＲＥを置き換えた形となる。
【０００７】
このＣＳＩ−ＲＳ送信方法では、ＣＳＩ−ＲＳを送信する前者のリソース（斜線のRB/Sub-frame）においてＬＴＥ用の４ＲＳを合わせて送信することにより、ＬＴＥ端末もＣＱＩ測定及びデータ受信が可能となっている。また、８アンテナ用ＣＳＩ−ＲＳを送信するRB/sub-frameは離散的に配置されるが、これらのリソース間で補間／平均化することにより、各リソースにおいて精度良くＣＱＩ測定が可能である。
【先行技術文献】
【非特許文献】
【０００８】
【非特許文献１】3GPP TSG RAN WG1 #56, R1-091066, CATT, CMCC, Ericsson, Huawei, LGE, Motorola, Nokia, Nokia Siemens Networks, Nortel, Panasonic, Philips, Qualcomm Europe, Samsung, Texas Instruments, "Way forward on downlink reference signals for LTE-A", Feb 9th - 13th, 2009
【非特許文献２】3GPP TSG RAN WG1 #56, R1-090619, Samsung, "DL RS Designs for Higher Order MIMO", Feb 9th - 13th, 2009
【発明の概要】
【発明が解決しようとする課題】
【０００９】
前述した従来例のＣＳＩ−ＲＳ送信方法においては、図１３の枠内に示したようにＣＳＩ−ＲＳを送信するRB/sub-frameではデータ部がパンクチャされるため、ＬＴＥ端末の復調性能が劣化し、これによってスループットが低下するという課題がある。
【００１０】
本発明は、上記事情に鑑みてなされたもので、その目的は、第１の通信システム用の第１の参照信号に加えて、第２の通信システム用の第２の参照信号を送信する場合に、第１の通信システムのみに対応する受信装置に対して影響を及ぼすリソースを最小限にすることができ、スループットの劣化を防ぐことが可能な送信装置、送信方法及び集積回路を提供することにある。
【課題を解決するための手段】
【００１１】
本発明は、第１の通信システムに対応する第１の参照信号と第２の通信システムに対応する第２の参照信号とを送信する送信装置であって、１サブフレームを構成する複数のシンボルと、複数のサブキャリアとで定義されるリソースにおいて、前記第２の参照信号を、前記複数のシンボルのうち、時間方向で後半のシンボルに配置する配置部と、配置された前記第２の参照信号を送信する送信部と、を有し、前記配置部は、一つの配置形態として、前記第２の参照信号を、前記複数のシンボルのうち、時間方向で末尾の２シンボルのみに配置する、送信装置を提供する。
【００１２】
本発明は、第１の通信システムに対応する第１の参照信号と第２の通信システムに対応する第２の参照信号とを送信する送信方法であって、１サブフレームを構成する複数のシンボルと、複数のサブキャリアとで定義されるリソースにおいて、前記第２の参照信号を、前記複数のシンボルのうち、時間方向で後半のシンボルに配置する配置工程と、配置された前記第２の参照信号を送信する送信工程と、を有し、前記配置工程は、一つの配置形態として、前記第２の参照信号を、前記複数のシンボルのうち、時間方向で末尾の２シンボルのみに配置する、送信方法を提供する。
【００１３】
本発明は、第１の通信システムに対応する第１の参照信号と第２の通信システムに対応する第２の参照信号との送信を制御する集積回路であって、１サブフレームを構成する複数のシンボルと、複数のサブキャリアとで定義されるリソースにおいて、前記第２の参照信号を、前記複数のシンボルのうち、時間方向で後半のシンボルに配置する配置処理と、配置された前記第２の参照信号を送信する送信処理と、を制御し、前記配置処理は、一つの配置形態として、前記第２の参照信号を、前記複数のシンボルのうち、時間方向で末尾の２シンボルのみに配置する、集積回路を提供する。
【発明の効果】
【００１４】
本発明によれば、第１の通信システム用の第１の参照信号に加えて、第２の通信システム用の第２の参照信号を送信する場合に、第１の通信システムのみに対応する受信装置に対して影響を及ぼすリソースを最小限にすることができ、スループットの劣化を防ぐことが可能な送信装置、送信方法及び集積回路を提供できる。
【図面の簡単な説明】
【００１５】
【図１】本発明の実施形態で用いる受信装置の主要部の構成を示すブロック図
【図２】本発明の実施形態で用いる送信装置の主要部の構成を示すブロック図
【図３】第１の実施形態におけるＣＳＩ−ＲＳ送信方法を示す図
【図４】ＬＴＥの符号化後ビット配置規則及び本実施形態によるＣＳＩ−ＲＳの配置規則を説明する図
【図５】第２の実施形態におけるＣＳＩ−ＲＳ送信方法を示す図
【図６】第２の実施形態の第１変形例におけるＣＳＩ−ＲＳ送信方法を示す図
【図７】第２の実施形態の第２変形例におけるＣＳＩ−ＲＳ送信方法を示す図
【図８】第２の実施形態の第３変形例におけるＣＳＩ−ＲＳ送信方法を示す図
【図９】第２の実施形態の第４変形例におけるＣＳＩ−ＲＳ送信方法を示す図
【図１０】第３の実施形態におけるＣＳＩ−ＲＳ送信方法を示す図
【図１１】第３の実施形態の変形例におけるＣＳＩ−ＲＳ送信方法を示す図
【図１２】ＬＴＥのフレーム構成例を示す図
【図１３】ＬＴＥ−Ａに対応するＣＳＩ−ＲＳ送信方法の従来例を示す図
【発明を実施するための形態】
【００１６】
本実施形態では、本発明に係る無線受信装置及び無線送信装置、並びに無線通信方法を携帯電話等の移動体通信用のセルラーシステムに適用した例を示す。ここでは、基地局（ＢＳ：Base Station）が送信装置となり、移動局の端末（ＵＥ：User Equipment）が受信装置となる無線通信システムにおいて、ＭＩＭＯによる通信を行う場合を例示する。基地局は、第１の通信システムであるＬＴＥに対応する端末と、第２の通信システムであるＬＴＥ−Ａに対応する端末と通信を行うものとする。ここで、第１の通信システム（ＬＴＥ）と第２の通信システム（ＬＴＥ−Ａ）との関係は、第２の通信システムが第１の通信システムよりも受信側でより多くの送信アンテナ数に対応する通信システムであるとする。この際、基地局から端末に対して周波数スケジューリングや適応ＭＣＳ制御を行うための参照信号が送信される。参照信号としては、ＬＴＥ用（４アンテナ用）の第１の参照信号４ＲＳに加えて、ＬＴＥ−Ａ用（８アンテナ用）の第２の参照信号ＣＳＩ−ＲＳを用いるものとする。
【００１７】
（第１の実施形態）
背景技術で説明したように、ＬＴＥでは、周波数及び時間による周波数−時間領域に定義された複数のリソースとして、周波数方向のＲＢと時間方向のSub-frameとで定義されたリソース単位であるRB/Sub-frameを用いる。このＬＴＥのフレーム構成において、周波数スケジューリング及び適応ＭＣＳ制御は、RB/Sub-frameを最小単位として行われる。本実施形態では、物理的な１つのRB/Sub-frameにおいて、時間方向の複数シンボルの後半側のシンボルにＬＴＥ−Ａ用の参照信号ＣＳＩ−ＲＳを割り当てて送信する。すなわち、本実施形態では、追加で送信する参照信号の配置方法に着目し、データ割り当て時にパリティビットが配置されやすい位置であるリソース内の後半部分にＬＴＥ−Ａ用の参照信号ＣＳＩ−ＲＳを配置して送信する。
【００１８】
これによって、ＣＳＩ−ＲＳを送信する特定のRB/sub-frameでは、複数シンボル中の後半部分、特に末尾の数シンボル、具体的には末尾から２シンボルまでの位置、あるいは最終シンボル等にＣＳＩ−ＲＳが配置され、物理的な１つのRB/Sub-frameのリソースにおいて末尾付近のみにＣＳＩ−ＲＳが存在することになる。本実施形態のＣＳＩ−ＲＳ送信方法については後で具体例を詳述する。
【００１９】
上記のＣＳＩ−ＲＳ送信方法を用いる構成とすることにより、ＬＴＥのみに対応可能なＬＴＥ端末へ影響を及ぼすリソースを最小限にすることができ、これによってスループット劣化を防ぐことができる。より具体的には、ＣＳＩ−ＲＳを送信するリソースにおいてＬＴＥ端末を多重する場合、このＬＴＥ端末用データ部のシステマティックビットがＣＳＩ−ＲＳによってパンクチャされる可能性を小さくできるので、復調性能の劣化を抑制できる。このように本実施形態によれば、追加するＬＴＥ−Ａ用の参照信号ＣＳＩ−ＲＳによる復調性能劣化を回避できるため、スループットの低下を防止することが可能となる。これにより、セルラーシステムにおけるマルチアンテナシステムの高次ＭＩＭＯや協調マルチポイント送受信を良好な特性で実現可能となる。
【００２０】
次に、本実施形態に係る無線通信システムの受信装置及び送信装置の具体例の構成を説明する。
【００２１】
図１は本発明の実施形態で用いる受信装置の主要部の構成を示すブロック図、図２は本発明の実施形態で用いる送信装置の主要部の構成を示すブロック図である。
【００２２】
本実施形態では、図１に示した受信装置と図２に示した送信装置との間で電波を用いて無線通信を行う場合を想定している。ここでは、セルラーシステムの無線通信基地局装置（基地局、ＢＳ）に図２に示す送信装置を適用し、携帯電話装置などの無線通信移動局装置である端末（ＵＥ）に図１に示す受信装置を適用することが想定される。また、ここでは、送受信双方で複数のアンテナを使用して無線送受信を行うＭＩＭＯシステムを構成し、送信装置は複数の受信装置に対してそれぞれ送信可能であり、送信側で複数のアンテナに対して重み付けをするプリコーディング（Precoding）送信を行うことを前提としている。なお、通信信号の形態としては、例えば、ＯＦＤＭ（Orthogonal Frequency Division Multiplexing：直交周波数分割多重）信号によるマルチキャリア通信方式で通信を行う場合などが想定される。具体例として、送信装置となる基地局が、受信装置となるＬＴＥ対応のＬＴＥ端末及びＬＴＥ−Ａ対応のＬＴＥ−Ａ端末との間で通信を行う場合を例示する。
【００２３】
図１に示す受信装置は、複数のアンテナ１１１ａ、１１１ｂと、複数の受信ＲＦ部１１２ａ、１１２ｂと、チャネル推定部１１３と、ＣＱＩ測定部１１４と、ＭＩＭＯ復調部１１５と、復号部１１６と、ＣＲＣ検査部１１７と、フィードバック情報生成部１１８と、符号化部１１９と、多重部１２０と、送信ＲＦ部１２１と、制御信号復調部１２２とを備えている。
【００２４】
相手装置（例えば図２に示す送信装置）から送信される電波は、独立した複数のアンテナ１１１ａ、１１１ｂによりそれぞれ受信される。アンテナ１１１ａで受信された電波の高周波信号は、受信ＲＦ部１１２ａでベースバンド信号などの比較的低い周波数帯の信号に変換された後、フーリエ変換、パラレル／シリアル変換等の処理が行われてシリアルデータの受信信号に変換される。同様に、アンテナ１１１ｂで受信された電波の高周波信号は、受信ＲＦ部１１２ｂでベースバンド信号などの比較的低い周波数帯の信号に変換された後、フーリエ変換、パラレル／シリアル変換等の処理が行われてシリアルデータの受信信号に変換される。これらの受信ＲＦ部１１２ａ、１１２ｂの出力は、チャネル推定部１１３、ＭＩＭＯ復調部１１５、制御信号復調部１２２に入力される。
【００２５】
チャネル推定部１１３は、相手装置（送信装置）の各送信アンテナから送信される信号に含まれている参照信号に基づいてチャネル推定を実施し、チャネル推定値を算出する。この際、受信装置は、送信装置より別途通知された制御情報に基づき、チャネル品質測定用の参照信号の位置を特定する。具体的には、チャネル推定部１１３は、第２の参照信号用のリソース情報としてＣＳＩ−ＲＳ配置情報を入力し、チャネル品質測定用の参照信号であるＣＳＩ−ＲＳが割り当てられる送信サブフレーム及びＲＢのＩＤを取得する。そして、該当リソースの時間軸で後ろ側にあるＯＦＤＭシンボルの特定のサブキャリアに参照信号が配置されているものとしてチャネル推定処理を行う。ＣＳＩ−ＲＳ配置情報は、基地局（相手の送信装置）からの制御情報などによって通知する。制御信号復調部１２２は、基地局などから送信される制御信号を復調し、ＣＳＩ−ＲＳを配置するリソースの設定に関するＣＳＩ−ＲＳ配置情報、送信信号の変調方式や符号化率などのＭＣＳの情報を含む送信パラメータなどの制御情報を抽出して取得する。この際、制御信号復調部１２２は、予めＣＳＩ−ＲＳ配置情報の受信、復調を行って保持する。チャネル推定部１１３で算出されたチャネル推定値は、ＣＱＩ測定部１１４、ＭＩＭＯ復調部１１５に入力される。
【００２６】
ＣＱＩ測定部１１４は、チャネル推定部１１３の出力したチャネル推定値を用いて、チャネル品質（受信品質）としてＣＱＩを算出し、フィードバック情報生成部１１８に出力する。この際、ＣＱＩ測定部１１４は、チャネル推定部１１３と同様にＣＳＩ−ＲＳ配置情報を入力し、チャネル品質測定用の参照信号であるＣＳＩ−ＲＳが割り当てられる送信サブフレーム及びＲＢのＩＤを取得する。そして、該当リソースが配置される周波数・時間間隔を特定し、得られたチャネル推定値に対し平均化及び補間の処理を行ったうえでチャネル品質情報を算出する。具体的なチャネル品質情報として、既定の変調方式・符号化率の組み合わせに対応したＣＱＩ、既定のコードブックから現在のチャネル状況に即したプリコーディングマトリクスを選択するＰＭＩ、希望する送信ストリーム数に対応したＲＩなどが挙げられる。
【００２７】
ＭＩＭＯ復調部１１５は、チャネル推定部１１３から受け取ったチャネル推定値を用いて自装置（自身の受信装置）に対応する受信信号の復調処理を行い、復調した信号を復号部１１６に出力する。この際、デインターリーブ処理、レートデマッチング（Rate-Dematching）処理、尤度合成処理等を行う。復号部１１６は、ＭＩＭＯ復調部１１５から入力される信号について復号処理を行って受信データを復元する。この際、ＭＩＭＯ復調部１１５から受け取ったＭＩＭＯ分離後の信号に対し誤り訂正復号処理を施し、ＣＲＣ検査部１１７に出力する。ＣＲＣ検査部１１７は、復号部１１６から出力される復号後の信号に対しＣＲＣ（Cyclic Redundancy Check）検査による誤り検出処理を施し、復号後の受信データに誤りが含まれているかどうかを示すデータエラーの有無情報をフィードバック情報生成部１１８に出力する。そして、ＣＲＣ検査部１１７より受信データが出力される。
【００２８】
フィードバック情報生成部１１８は、ＣＱＩ測定部１１４で算出したチャネル品質情報（ＣＱＩ、ＰＭＩ、ＲＩなど）を含むフィードバック情報を生成する。また、フィードバック情報生成部１１８は、ＣＲＣ検査部１１７での誤り検出結果に基づき、復号した受信データに誤りが含まれているかどうかを判断し、Ａｃｋ／Ｎａｃｋ情報を生成する。ここで、復号結果に誤りが含まれていなければＡｃｋ（Acknowledgement）を生成し、復号結果に誤りが含まれていればＮａｃｋ（Negative Acknowledgement）を生成する。
【００２９】
符号化部１１９は、送信データの符号化処理を行って多重部１２０に出力する。多重部１２０は、入力したフィードバック情報、符号化された送信データを含む送信信号等を多重処理する。そして、変調多値数や符号化率を適応的に設定するレートマッチング（Rate-Matching）処理、インターリーブ処理、変調処理等を行い、送信ＲＦ部１２１に出力する。送信ＲＦ部１２１では、シリアル／パラレル変換、逆フーリエ変換等の処理が行われた後、所定の無線周波数帯の高周波信号に変換され、電力増幅された後にアンテナ１１１ａから電波として送信される。このとき、受信装置から送信されるチャネル品質情報やＡｃｋ／Ｎａｃｋ情報等のフィードバック情報は、フィードバック信号として送信装置に伝送されて報告される。
【００３０】
上記構成において、制御信号復調部１２２がリソース情報取得部の機能を実現する。また、受信ＲＦ部１１２ａ、１１２ｂ、ＭＩＭＯ復調部１１５が受信部の機能を実現する。また、チャネル推定部１１３、ＣＱＩ測定部１１４がチャネル品質測定部の機能を実現する。また、フィードバック情報生成部１１８、多重部１２０、送信ＲＦ部１２１がフィードバック情報送信部の機能を実現する。
【００３１】
一方、図２に示す送信装置は、複数の端末用信号処理部２３１ｍ、２３１ｎと、符号化・変調部２３２と、プリコーディング処理部２３３と、複数の送信ＲＦ部２３４ａ〜２３４ｄ、２３４ｅ〜２３４ｈと、複数のアンテナ２３５ａ〜２３５ｄ、２３５ｅ〜２３５ｈと、スケジューリング部２３６と、ＣＳＩ−ＲＳ配置設定部２３７と、ＣＳＩ−ＲＳ生成部２３８と、ＬＴＥ用４ＲＳ生成部２３９と、受信ＲＦ部２４１と、分離部２４２と、復調・復号部２４３と、ＣＲＣ検査部２４４と、フィードバック情報復調部２４５とを備えている。
【００３２】
相手装置（例えば図１に示す受信装置）から送信される電波は、アンテナ２３５ａにより受信される。アンテナ２３５ａで受信された電波の高周波信号は、受信ＲＦ部２４１でベースバンド信号などの比較的低い周波数帯の信号に変換された後、分離部２４２に入力される。分離部２４２は、受信信号からフィードバック信号を分離し、フィードバック信号をフィードバック情報復調部２４５に、その他の受信信号を復調・復号部３４０にそれぞれ出力する。フィードバック信号に含まれるチャネル品質情報やＡｃｋ／Ｎａｃｋ情報等はフィードバック情報復調部２４５にて復調され、スケジューリング部２３６に入力される。スケジューリング部２３６は、受信装置から報告を受けたチャネル品質情報に基づき、伝送信号に関するスケジューリングとして、周波数スケジューリング、適応ＭＣＳ制御の少なくともいずれか一方を実施する。
【００３３】
復調・復号部２４３は、分離部２４２で分離された受信信号の復調処理、復号処理を行い、受信したデータを復元する。ＣＲＣ検査部２４４は、復調・復号部２４３から出力される復号後の信号に対しＣＲＣ検査による誤り検出処理を施し、復号後の受信データに誤りが含まれているかどうかを判定する。そして、ＣＲＣ検査部２４４より受信データが出力される。
【００３４】
端末用信号処理部２３１ｍ、２３１ｎは、ＬＴＥ−Ａ用、ＬＴＥ用などのそれぞれのユーザの端末に対応する送信信号の信号処理を行うものであり、それぞれ符号化・変調部２３２、プリコーディング処理部２３３を有している。符号化・変調部２３２は、送信データの符号化処理、制御信号等の多重処理、レートマッチング処理、インターリーブ処理、変調処理等を行い、プリコーディング処理部２３３に出力する。プリコーディング処理部２３３は、複数のアンテナに出力するそれぞれの送信信号に対して送信波のビームを形成するための重み付け処理を行い、各送信信号を各アンテナの送信ＲＦ部２３４ａ〜２３４ｄ、２３４ｅ〜２３４ｈに出力する。
【００３５】
送信ＲＦ部２３４ａ〜２３４ｄ、２３４ｅ〜２３４ｈでは、送信信号についてシリアル／パラレル変換、逆フーリエ変換等の処理が行われた後、所定の無線周波数帯の高周波信号に変換され、電力増幅された後にアンテナ２３５ａ〜２３５ｄ、２３５ｅ〜２３５ｈから電波として送信される。図示例のＬＴＥ−Ａ用の送信部では、８本のアンテナを用いて送信するための送信信号を生成する。送信装置からの送信信号は、パイロットチャネル、制御信号、及び各種データを含むデータ信号などとして受信装置に伝送される。ここで、パイロットチャネル及び制御信号はビームを形成しない無指向性の信号として送信され、データ信号は所定の送信チャネルにおいてプリコーディングによりビーム番号に応じた所定のビームを形成した有指向性の信号として送信される。
【００３６】
ＣＳＩ−ＲＳ配置設定部２３７は、各端末に別途ＣＳＩ−ＲＳ配置情報を通知するとともに、ＣＳＩ−ＲＳ生成部２３８とスケジューリング部２３６にＣＳＩ−ＲＳ配置情報を通知する。ＣＳＩ−ＲＳ生成部２３８では、ＬＴＥ−Ａ用（８アンテナ用）の参照信号ＣＳＩ−ＲＳを生成するとともに、このＣＳＩ−ＲＳを該当する送信サブフレーム及びＲＢのＩＤに対応するリソースに配置する。ＬＴＥ用４ＲＳ生成部２３９は、ＬＴＥ用（４アンテナ用）の参照信号４ＲＳを生成し、各リソースに配置する。図２の構成例では、高次ＭＩＭＯへの適用を意図してＣＳＩ−ＲＳをＡｎｔ＃４からＡｎｔ＃７（アンテナ２３５ｅ〜２３５ｈ）に配置し、Ａｎｔ＃０からＡｎｔ＃３（アンテナ２３５ａ〜２３５ｄ）ではＬＴＥ用の参照信号４ＲＳのみ配置して送信するものとする。なお、ここでは高次ＭＩＭＯへの適用を意図した図で説明したが、ＣＳＩ−ＲＳの送信はこれに限らず受信側でＬＴＥ用よりも多くのアンテナ用の参照信号を受信する場合、例えば複数基地局から送信される参照信号を受信する動作としてもよい。また、ここではＬＴＥを４アンテナ、高次ＭＩＭＯを追加４アンテナとして例を示したが、これに限らずＬＴＥを２アンテナ、高次ＭＩＭＯを追加２アンテナとしたり、両者の組み合わせとしたり、ＬＴＥを２アンテナで高次ＭＩＭＯを追加６アンテナの合計８アンテナとする、などとしてもよい。また、ここではＬＴＥ用の参照信号を配置するアンテナにはＣＳＩ−ＲＳを配置しない例を示したが、これに限らずＣＳＩ−ＲＳを全てのアンテナＡｎｔ＃０からＡｎｔ＃７に配置するとしてもよい。
【００３７】
スケジューリング部２３６は、受け取ったＣＳＩ−ＲＳ配置情報を用いて、各端末の割り当てを行う。この際、ＣＳＩ−ＲＳに対応する送信サブフレーム及びＲＢのＩＤに基づき、ＬＴＥで定義される分散配置用リソースであるＤＶＲＢ（Distributed Virtual RB）、連続配置用リソースであるＬＶＲＢ（Localized Virtual RB）などを用いてＬＴＥ端末の割り当てを行う。ここで、ＤＶＲＢは、物理的な１つのRB/Sub-frameを時間方向に前半スロットと後半スロットに分割し、論理的な１つのRB/Sub-frame単位のリソースを前半スロットと後半スロットで周波数方向にホッピングさせて所定周波数間隔で異なる２つの物理的なRB/Sub-frameに離散的に配置させ、リソースを分散配置するようにした分散配置型のリソースである。ＬＶＲＢは、リソースを連続して割り当てるなど集中的にリソースを配置する連続配置型のリソースである。
【００３８】
上記構成において、ＣＳＩ−ＲＳ配置設定部２３７がリソース設定部の機能を実現する。また、ＣＳＩ−ＲＳ生成部２３８が参照信号生成部の機能を実現する。また、端末用信号処理部２３１ｍ、２３１ｎ、送信ＲＦ部２３４ａ〜２３４ｄ、２３４ｅ〜２３４ｈが送信部の機能を実現する。また、受信ＲＦ部２４１、分離部２４２、フィードバック情報復調部２４５がフィードバック情報取得部の機能を実現する。
【００３９】
次に、チャネル品質測定用参照信号であるＣＳＩ−ＲＳの送信方法について詳しく説明する。図３は第１の実施形態におけるＣＳＩ−ＲＳ送信方法を示す図であり、参照信号、制御信号、データ等のリソース上の配置例を示している。第１の実施形態では、Sub-frame#0におけるＲＢのうち、ＲＢ０を基点として３ＲＢおき（ＲＢ０、ＲＢ４、ＲＢ８、ＲＢ１２）に参照信号配置用リソースを設定し、該当リソースにおいて時間軸で後ろ側（後半側）にあるシンボル、例えば末尾の１シンボルまたは２シンボル（図中、網状のハッチングで示したブロック）を参照信号ＣＳＩ−ＲＳの送信に用いるとする。そして、該当サブフレームにおけるＲＢのうち、ＲＢ０、ＲＢ１、ＲＢ２、ＲＢ３、ＲＢ５、ＲＢ７、ＲＢ８、ＲＢ９、ＲＢ１０、ＲＢ１２、ＲＢ１３、ＲＢ１４（図中、格子状のハッチングで示したブロック）にＬＴＥ端末を割り当てた例を図示している。
【００４０】
ＣＳＩ−ＲＳ配置設定部２３７は、上記のように所定の周波数間隔のリソースにおいて、１つのRB/Sub-frameのうちの末尾の１、２シンボルなど、時間方向の後半側にあるシンボルにＣＳＩ−ＲＳを配置するように参照信号のリソース設定を行う。ＣＳＩ−ＲＳ生成部２３８は、上記ＣＳＩ−ＲＳの配置設定に従い、ＣＳＩ−ＲＳを生成して該当リソースのシンボルに配置する。スケジューリング部２３６は、上記ＣＳＩ−ＲＳの配置設定に基づき、ＣＳＩ−ＲＳを送信するRB/Sub-frameを含むリソースにＬＴＥ端末を割り当てるようにする。
【００４１】
ここで、１つのRB/Sub-frameにおけるＣＳＩ−ＲＳの配置とデータ部のシステマティックビット及びパリティビットとの配置関係について示す。図４はＬＴＥの符号化後ビット配置規則及び本実施形態によるＣＳＩ−ＲＳの配置規則を説明する図である。符号化後ビットは、符号化前のデータ本体であるシステマティックビット（Ｓ）と、符号化により付加される冗長データであるパリティビット（Ｐ）とを有している。ＬＴＥでは、レートマッチング後の信号をリソースの先頭からfrequency-first（周波数優先）の規則で割当リソース内に配置する。すなわち、１つのRB/Sub-frameの割当リソースにおいて、システマティックビットから順に先頭のＯＦＤＭシンボルより周波数方向に各サブキャリアに配置した後に、次のＯＦＤＭシンボルの先頭サブキャリアに戻って周波数方向の配置を施し、これを最終シンボルまで繰り返すようにしている。よって、送信されるデータのうち、システマティックビットは割当リソース内の時間軸上で先頭側に配置され、パリティビットは後ろ側に配置される。このため、該当リソース中の後半シンボルほどパリティビットの配置される確率が高くなる。
【００４２】
そこで、本実施形態では、図４のようにＣＳＩ−ＲＳをデータ部の符号化後ビット配置規則とは逆方向の配置規則で割り当てるようにする。すなわち、ＣＳＩ−ＲＳは、割当リソース内の時間軸上で末尾のシンボルから順に、周波数方向についても逆方向に配置する。このとき、図３中でSub-frame#0のＲＢ１２を拡大した枠内に示すように、ＣＳＩ−ＲＳを送信するＲＥ（シンボル・サブキャリア）は、１つのRB/Sub-frameの割当リソースにおいて末尾部分に位置し、端末用データのうちパリティビットに対応する位置のＲＥをＣＳＩ−ＲＳで置き換えることになる。よって、ＣＳＩ−ＲＳによるデータ部のパンクチャがシステマティックビットに影響を与えることを防止できる。このため、システマティックビットをＣＳＩ−ＲＳで置き換える場合と比較して、該当データの復調に際して復調誤りを起こしにくくできる。このときの参照信号の配置を指示するＣＳＩ−ＲＳ配置情報の通知方法は、セル全体の制御情報を示す報知情報として通知してもよいし、各端末個別の無線リソース制御情報（Radio resource control：ＲＲＣ）として通知してもよい。
【００４３】
本実施形態では、受信装置において、ＣＳＩ−ＲＳ配置情報によって事前に通知された特定リソースのサブフレーム内の時間軸で後半側にあるシンボルに配置された参照信号ＣＳＩ−ＲＳを用いて、チャネル品質を測定し送信装置に報告する。また、送信装置において、受信装置に向けて事前にＣＳＩ−ＲＳ送信に用いる特定リソースを通知し、該当リソースのサブフレーム内の時間軸で後半側にあるシンボルを用いて参照信号ＣＳＩ−ＲＳを送信し、受信装置からのチャネル品質の測定結果を受信する。この受信装置から報告されたチャネル品質測定結果を用いて、周波数スケジューリング、適応ＭＣＳ制御を実施する。
【００４４】
ここで、ＬＴＥ−Ａ用の参照信号ＣＳＩ−ＲＳは、特定のRB/Sub-frameにおいて時間方向で後半側に配置され、リソースの先頭から配置される端末用データのシステマティックビット部分にＣＳＩ−ＲＳが位置しないようになる。したがって、ＣＳＩ−ＲＳを送信するRB/Sub-frameのリソースにＬＴＥ端末を割り当てて多重するような場合であっても、ＬＴＥ端末用データのシステマティックビットがパンクチャされる可能性を小さくできるので、ＬＴＥ端末において復調性能劣化が発生する可能性を小さくできる。これにより、スループットの劣化を防止できる。
【００４５】
（変形例）
なお、上記第１の実施形態では、事前に通知した任意のリソースにてＣＳＩ−ＲＳを送信する動作としたが、報知情報の配置に応じてＣＳＩ−ＲＳを送信する動作としてもよい。具体的な例を以下に変形例として示す。ＬＴＥでは、報知情報は、物理リソースの使用方法により、ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）１、および、ＳＩＢ２〜ＳＩＳＢ１１（すなわち、ＳＩＢ２以降のＳＩＢ）の３種類に分類できる。
【００４６】
より詳細には、ＭＩＢは、固定のサブフレーム（例えば、Sub-frame#0）および固定の周波数リソースを用いたＰ−ＢＣＨ（Ｐｈｙｓｉｃａｌ  Ｂｒｏａｄｃａｓｔ  Ｃｈａｎｎｅｌ）で送信される。また、ＳＩＢ１は、固定のサブフレーム（例えば、２フレームおきのSub-frame#5）で送信される。また、ＳＩＢ２以降のＳＩＢは、ＳＩＢ１内に含まれるスケジューリング情報に示される、送信可能なサブフレーム（ＳＩ−ｗｉｎｄｏｗ）のうちいずれかで送信される。ＳＩＢ２以降のＳＩＢの場合、ＳＩＢが送信されるサブフレームは、そのサブフレームで通知される下り回線の制御チャネル（例えば、ＰＤＣＣＨ（Ｐｈｙｓｉｃａｌ  Ｄｅｄｉｃａｔｅｄ  Ｃｏｎｔｒｏｌ  Ｃｈａｎｎｅｌ））に示される。つまり、端末は、そのサブフレームでＰＤＣＣＨを受信するまでは、ＳＩＢ２以降のＳＩＢがいずれのサブフレームで送信されるか分からない。なお、ＰＤＣＣＨにはＳＩＢ２以降のＳＩＢがどのＲＢを用いて送信されるかを示す情報も含まれる。
【００４７】
ここで、上述した報知情報はＬＴＥ端末およびＬＴＥ−Ａ端末の双方で受信される必要があるため、報知情報がＣＳＩ−ＲＳの配置されたＲＢを用いて送信されると、報知情報のシステマティックビットをパンクチャすることになり、特にＬＴＥ端末において復調性能が劣化する。
【００４８】
この点に留意して、報知情報の配置に応じてＣＳＩ−ＲＳを送信する動作とすることにより、ＬＴＥ端末における報知情報の誤り率特性が劣化することを防ぐことができる。より具体的には、ＭＩＢまたはＳＩＢ１が送信されるサブフレームではＣＳＩ−ＲＳを送信せず、ＳＩＢ２以降のＳＩＢが送信されるサブフレームには、ＣＳＩ−ＲＳは、上記第１の実施形態等と同様にして特定のＲＢに配置される。一方、ＳＩＢ２以降のＳＩＢは、ＣＳＩ−ＲＳが配置されるＲＢ以外のＲＢを用いて送信される。ＭＩＢまたはＳＩＢ１が送信されるサブフレームはＬＴＥ−Ａ端末では既知であるため、ＬＴＥ−Ａ端末は、ＭＩＢまたはＳＩＢ１が送信されるサブフレームではＣＱＩ測定を行わないようにすることができる。また、ＬＴＥ端末およびＬＴＥ−Ａ端末の双方で受信される必要があるＭＩＢまたはＳＩＢ１が送信されるサブフレームでは、ＣＳＩ−ＲＳが配置されず、報知情報がパンクチャされることがない。これにより、報知情報が送信されるサブフレームでは、基地局は、報知情報を十分低い符号化率で符号化して送信することにより、報知情報の誤り率特性が劣化することを防ぐことができる。
【００４９】
これに対し、ＳＩＢ２以降のＳＩＢについては、ＳＩＢ２以降のＳＩＢが、ＣＳＩ−ＲＳが配置されたＲＢ以外のＲＢを用いて送信される。ここで、ＳＩＢ２以降のＳＩＢが送信されるサブフレームはＬＴＥ−Ａ端末では未知である。しかし、本実施形態によれば、ＬＴＥ−Ａ端末は、ＳＩＢ２以降のＳＩＢが送信されるサブフレームであるか否かに関わらず、通常のＣＱＩ測定を行うことができる。従って、ＬＴＥ−Ａ端末では、ＰＤＣＣＨを受信した後にＣＱＩ測定を行うか否かを判定する必要がなく、端末処理の簡素化および遅延の低減を実現できる。また、ＳＩＢ２以降のＳＩＢは、ＬＴＥ端末およびＬＴＥ−Ａ端末の双方で用いるＬＴＥ用の参照信号ＲＳのみが配置されたＲＢで送信されるため、ＬＴＥ端末でも報知情報を確実に受信することが可能となる。
【００５０】
なおこの場合、上述した、ＬＴＥ端末およびＬＴＥ−Ａ端末の双方で受信される必要がある報知情報に対して、ＬＴＥ−Ａ端末のみで受信される必要がある報知情報（ＬＴＥ−Ａ端末向けの報知情報ＳＩＢ＋）が送信されるサブフレームは、ＬＴＥ−Ａ端末では既知である。また、ＣＳＩ−ＲＳの配置も、ＬＴＥ−Ａ端末では既知である。よって、ＬＴＥ−Ａ端末向けの報知情報ＳＩＢ＋が送信される場合には、ＬＴＥ用の参照信号ＲＳのみが配置されるサブフレーム（またはＲＢ）、および、ＳＩＢ＋が送信されるサブフレーム（またはＲＢ）について制約を設けなくてもよい。
【００５１】
なお、上記変形例では、ＳＩＢ２以降のＳＩＢが、ＣＳＩ−ＲＳが配置されるＲＢ以外のＲＢを用いて送信される場合について説明した。しかし、本発明では、ＳＩＢ２以降のＳＩＢは、例えば、ＣＳＩ−ＲＳが配置されたサブフレーム以外のサブフレームで送信してもよい。または、ＣＳＩ−ＲＳを、ＳＩＢ１で通知されるＳＩ−ｗｉｎｄｏｗに基づいて、ＳＩＢ２以降のＳＩＢが送信されるサブフレーム以外のサブフレームに配置されるようにしてもよい。
【００５２】
また、ＭＩＢおよびＳＩＢ１〜ＳＩＢ１１に限らず、例えば、ＭＢＳＦＮ（ＭＢＭＳ  Ｓｉｎｇｌｅ  Ｆｒｅｑｕｅｎｃｙ  Ｎｅｔｗｏｒｋ）のデータが送信されるサブフレーム（ＭＢＳＦＮサブフレーム）でも、ＣＳＩ−ＲＳを配置しないようにしてもよい。つまり、ＣＳＩ−ＲＳを、ＭＢＳＦＮサブフレーム以外のサブフレームに配置してもよい。
【００５３】
（第２の実施形態）
第２の実施形態では、特定のRB/Sub-frameのリソースにＣＳＩ−ＲＳを配置する際、サブフレーム内の最終シンボルにおいて、特定の制御情報の周波数配置、具体的には、制御フォーマット通知チャネル（ＰＣＦＩＣＨ：Physical Control Format Indicator Channel）の周波数配置を用いてＣＳＩ−ＲＳを配置して送信する。ここでは、第１の実施形態と異なる点のみを説明する。受信装置及び送信装置の構成は図１及び図２に示した第１の実施形態と同様であり、説明を省略する。第２の実施形態は、送信装置におけるＣＳＩ−ＲＳ配置設定部２３７、ＣＳＩ−ＲＳ生成部２３８の動作、並びに、送信装置から受信装置に通知するＣＳＩ−ＲＳ配置情報の内容が異なる。
【００５４】
図５は第２の実施形態におけるＣＳＩ−ＲＳ送信方法を示す図であり、参照信号、制御信号、データ等のリソース上の配置例を示している。第２の実施形態では、ＣＳＩ−ＲＳを送信する特定のRB/Sub-frame（図の例ではＲＢ０、ＲＢ４、ＲＢ８、ＲＢ１２）において、最終ＯＦＤＭシンボルを用い、先頭ＯＦＤＭシンボルにあるＰＣＦＩＣＨの周波数リソース（図中、斜線のハッチングで示したブロック）に対応する周波数のサブキャリアのＲＥ（図中、網状のハッチングで示したブロック）にて参照信号ＣＳＩ−ＲＳを割り当てて送信する。
【００５５】
ＣＳＩ−ＲＳ配置設定部２３７は、上記のように特定のRB/Sub-frameの最終ＯＦＤＭシンボルにおいて、ＰＣＦＩＣＨの周波数配置に対応する周波数リソースにＣＳＩ−ＲＳを配置するように参照信号のリソース設定を行う。ＣＳＩ−ＲＳ生成部２３８は、上記ＣＳＩ−ＲＳの配置設定に従い、ＣＳＩ−ＲＳを生成して該当リソースに配置する。スケジューリング部２３６は、上記ＣＳＩ−ＲＳの配置設定に基づき、ＣＳＩ−ＲＳを送信するRB/Sub-frameを含むリソースにＬＴＥ端末を含む各端末を割り当てるようにする。
【００５６】
このとき、第１の実施形態と同様、ＣＳＩ−ＲＳはパリティビットの割り当てられる確率が高い位置のシンボルに配置され、この部分のデータ部をパンクチャすることになるため、システマティックビットに影響を与えることを防止でき、ＬＴＥ端末における復調性能劣化を回避できる。また、本実施形態では、ＣＳＩ−ＲＳの配置においてＰＣＦＩＣＨの周波数リソース通知を流用することで、ＣＳＩ−ＲＳをシステム帯域内に広く分散させて配置することができる。
【００５７】
（変形例）
以下に、第２の実施形態の変形例をいくつか示す。図６は第２の実施形態の第１変形例におけるＣＳＩ−ＲＳ送信方法を示す図である。この第１変形例は、ＰＣＦＩＣＨの周波数配置規則を逆方向に適用したものである。すなわち、特定のRB/Sub-frameの最終ＯＦＤＭシンボルにおいて、ＰＣＦＩＣＨの周波数リソースに対して最後尾のサブキャリアから逆方向にＣＳＩ−ＲＳを配置する。
【００５８】
図７は第２の実施形態の第２変形例におけるＣＳＩ−ＲＳ送信方法を示す図である。この第２変形例は、ＰＣＦＩＣＨの周波数リソースがセルラーシステムのセルＩＤに応じて定義されていることを流用し、第２の実施形態のＣＳＩ−ＲＳ配置とともに、セルＩＤ＋ｎに対応するＰＣＦＩＣＨの周波数配置を併用したものである。図７では、セルＩＤ＋３のＰＣＦＩＣＨの周波数配置に対応させてＣＳＩ−ＲＳを配置した例を示している。
【００５９】
図８は第２の実施形態の第３変形例におけるＣＳＩ−ＲＳ送信方法を示す図である。この第３変形例は、時間方向のサブフレーム番号Sub-frame#に応じて、ＣＳＩ−ＲＳの周波数配置をサブフレーム毎に周波数方向にシフトさせて配置したものである。
【００６０】
ここで前述の報知情報の観点に着目し、ＣＳＩ−ＲＳが、報知情報が送信されるサブフレームを含まないサブフレーム毎にシフトしたＲＢに配置としてもよい。ただし、報知情報が送信されるサブフレームでは、ＣＳＩ−ＲＳは配置されない。これにより、ＣＳＩ−ＲＳが配置されるＲＢは、報知情報の有無に関わらず特定の周期で一定となる。よって、各セルに位置するＬＴＥ−Ａ端末は、報知情報が送信されるサブフレームでＣＱＩの測定を行わないようにするだけでよく、ＬＴＥ−Ａ端末のＣＱＩ測定に必要な回路を簡素化することができる。また、セル間でのＲＳ同士の干渉を回避するために、ＣＳＩ−ＲＳをセル間で互いに異なるＲＢに割り当てる場合には、ＣＳＩ−ＲＳが配置されるＲＢの関係（干渉回避のためのＲＢの配置関係）は報知情報の有無に関わらずセル間で維持されるため、干渉軽減効果を劣化させることがない。
【００６１】
図９は第２の実施形態の第４変形例におけるＣＳＩ−ＲＳ送信方法を示す図である。第２の実施形態では、ＰＣＦＩＣＨの周波数配置を用いる構成としたが、この第４変形例のように、下り制御チャネルに用いるＣＣＥ（Control channel element）の周波数配置を用いることも可能である。具体的には、事前に通知したＣＣＥ−ＩＤに対応する周波数リソースを図９のように流用する。
【００６２】
各ＣＣＥは、ＣＣＥ−ＩＤに応じて昇順に並べられた後にリソースエレメントグループ（ＲＥＧ：Resource element group）単位でインターリーブされ、対応する制御信号領域に順に格納される。受信装置となる端末は、事前に通知されたＣＣＥ−ＩＤから該当ＣＣＥの周波数配置を把握することができるので、対応する周波数リソースをサブフレーム内の最終ＯＦＤＭシンボルから順に該当ＲＥＧの時間軸シンボル数と同じ数だけをＣＳＩ−ＲＳの格納場所と判断する（図中、網状のハッチングで示した領域）。そして、この位置に配置されたＣＳＩ−ＲＳを用いてチャネル品質を測定する動作を取る。なお、サブフレーム単位で変わり得る制御信号領域の幅に応じてＣＣＥ配置が変わる場合があるが、ＣＳＩ−ＲＳの格納には３シンボルを使うものと固定的に設定しても良い。さらには、ＣＳＩ−ＲＳはＣＣＥと同数の時間軸シンボル数としたが、最終シンボルのみ、あるいは常に末尾２シンボルを利用するなどとしてもよい。
【００６３】
これらの変形例においても、第２の実施形態と同様、ＬＴＥ端末における復調性能劣化を回避できるとともに、制御情報の周波数配置のリソース通知を流用することで、ＣＳＩ−ＲＳをシステム帯域内に広く分散させて配置することができる。
【００６４】
（第３の実施形態）
図１０は第３の実施形態におけるＣＳＩ−ＲＳ送信方法を示す図である。第３の実施形態は、第１の実施形態を一部変形した例である。第１の実施形態では、既定のRB/Sub-frameでＣＳＩ−ＲＳを送信する構成としたが、この第３の実施形態のように、ＣＳＩ−ＲＳを配置するリソースの通知に際し、ＬＶＲＢで用いているbitmap手法を用いることも可能である。
【００６５】
第３の実施形態では、図１０に示すように、RA-type0（Resource allocation-type0）で用いられるbitmap手法により、ＣＳＩ−ＲＳ送信用のRB/Sub-frame（図の例ではＲＢ０、ＲＢ１、ＲＢ３、ＲＢ５、ＲＢ７、ＲＢ８、ＲＢ１０、ＲＢ１２、ＲＢ１４、ＲＢ１５）を１／０のビットマップを用いて通知する。ここで、該当するRB/Sub-frameの後半側の末尾から数シンボルにＣＳＩ−ＲＳを配置するものとする。
【００６６】
図１１は第３の実施形態の変形例におけるＣＳＩ−ＲＳ送信方法を示す図である。システム帯域幅が広い場合には、ＬＶＲＢのbitmap手法において、リソースブロックグループ（ＲＢＧ：Resource block group）を定義し、bitmapの１ビットが示す周波数リソースの粒度を粗くする動作となる。この際、図１１に示すように、ＲＢＧ中で最も大きい番号のRB/Sub-frameにＣＳＩ−ＲＳを配置する構成とすることも可能である。また、これに加えて、ＲＢ番号のオフセット量（０〜(ＲＧＢ−１)）を通知することで、ＣＳＩ−ＲＳ配置を設定できるようにしても良い。図１１では、ＲＢＧ＝４の場合で、もっとも大きい番号のＲＢ（ＲＢ１〜ＲＢ３のＲＢＧではＲＢ３）にＣＳＩ−ＲＳを配置する構成を示している。この場合、オフセット量としてはＲＧＢ−１＝３に相当する。
【００６７】
この第３の実施形態においても、第１の実施形態と同様、ＣＳＩ−ＲＳによるデータ部のパンクチャがシステマティックビットに影響を与えることを防止でき、ＬＴＥ端末における復調性能劣化を回避できる。また、ＬＶＲＢのリソース配置の通知を流用することで、第２の実施形態と同様、ＣＳＩ−ＲＳをシステム帯域内に広く分散させて配置することができる。
【００６８】
なお、本発明は、本発明の趣旨ならびに範囲を逸脱することなく、明細書の記載、並びに周知の技術に基づいて、当業者が様々な変更、応用することも本発明の予定するところであり、保護を求める範囲に含まれる。また、発明の趣旨を逸脱しない範囲で、上記実施形態における各構成要素を任意に組み合わせてもよい。
【００６９】
なお、上記実施形態ではアンテナとして説明したが、アンテナポートでも同様に適用できる。アンテナポート（antenna port）とは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。例えばＬＴＥにおいては、アンテナポートが何本の物理アンテナから構成されるかは規定されず、基地局が異なる参照信号（Reference signal）を送信できる最小単位として規定されている。また、アンテナポートはプリコーディングベクトル（Precoding vector）の重み付けを乗算する最小単位として規定されることもある。
【００７０】
上記各実施形態では、本発明をハードウェアで構成する場合を例にとって説明したが、本発明はソフトウェアで実現することも可能である。
【００７１】
また、上記各実施形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７３】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００７４】
本開示に係る実施形態の種々の態様として、以下のものが含まれる。
【００７５】
周波数−時間領域に定義された複数のリソースを用いて通信を行う無線通信システムに用いる無線受信装置であって、無線送信装置から第１の通信システム用の第１の参照信号に加えて、第２の通信システム用の第２の参照信号が伝送される際、前記第２の参照信号用リソースとして、前記周波数−時間領域に定義されたリソース単位のうちの時間方向で後半側のシンボルが用いられる場合に、この第２の参照信号用のリソース配置情報を取得するリソース情報取得部と、前記送信装置から伝送される前記第２の参照信号を含む信号を受信する受信部と、前記リソース配置情報に基づき、特定のリソース単位における時間方向で後半側のシンボルに配置された前記第２の参照信号を用いて伝送路のチャネル品質を測定するチャネル品質測定部と、前記チャネル品質を示すチャネル品質情報を含むフィードバック情報を前記送信装置へ送信するフィードバック情報送信部と、を備える無線受信装置。
【００７６】
上記の無線受信装置であって、前記チャネル品質測定部は、前記特定のリソース単位における時間方向で末尾から２シンボルまでの位置に配置されて送信される前記第２の参照信号によってチャネル品質を測定する無線受信装置。
【００７７】
上記の無線受信装置であって、前記チャネル品質測定部は、前記特定のリソース単位における時間方向で最終シンボルに配置されて送信される前記第２の参照信号によってチャネル品質を測定する無線受信装置。
【００７８】
上記の無線受信装置であって、前記チャネル品質測定部は、前記特定のリソース単位における時間方向で後半側のシンボルであり、周波数方向において特定の制御情報の配置に対応する位置に配置されて送信される前記第２の参照信号によってチャネル品質を測定する無線受信装置。
【００７９】
上記の無線受信装置であって、前記第１の通信システムはＬＴＥ（Long Term Evolution）であり、前記第２の通信システムはＬＴＥ−Ａ（LTE-advanced）であり、前記チャネル品質測定部は、前記特定のリソース単位における時間方向で最終シンボルであって、制御フォーマット通知チャネル（ＰＣＦＩＣＨ）の周波数配置に対応する位置に配置されて送信される前記第２の参照信号によってチャネル品質を測定する無線受信装置。
【００８０】
周波数−時間領域に定義された複数のリソースを用いて通信を行う無線通信システムに用いる無線送信装置であって、無線受信装置に対して第１の通信システム用の第１の参照信号に加えて、第２の通信システム用の第２の参照信号を伝送する際、前記第２の参照信号用リソースとして、前記周波数−時間領域に定義されたリソース単位のうちの時間方向で後半側のシンボルを用いる場合のリソース設定を行うリソース設定部と、前記第２の参照信号用のリソース設定に基づき、前記第２の参照信号を生成して特定のリソース単位における時間方向で後半側のシンボルに配置する参照信号生成部と、前記第２の参照信号を含む信号を前記受信装置へ送信する送信部と、前記受信装置から通知されるフィードバック情報を受信してこのフィードバック情報に含まれるチャネル品質情報を取得するフィードバック情報取得部と、前記チャネル品質情報に基づき、伝送信号に関する周波数スケジューリング、適応ＭＣＳ（Modulation and Coding Scheme）制御の少なくとも一方を含むスケジューリングを行うスケジューリング部と、を備える無線送信装置。
【００８１】
上記の無線送信装置であって、前記リソース設定部は、前記特定のリソース単位における時間方向で末尾から２シンボルまでの位置に前記第２の参照信号を配置するリソース設定を行う無線送信装置。
【００８２】
上記の無線送信装置であって、前記リソース設定部は、前記特定のリソース単位における時間方向で最終シンボルに前記第２の参照信号を配置するリソース設定を行う無線送信装置。
【００８３】
上記の無線送信装置であって、前記リソース設定部は、前記特定のリソース単位における時間方向で後半側のシンボルであり、周波数方向において特定の制御情報の配置に対応する位置に前記第２の参照信号を配置するリソース設定を行う無線送信装置。
【００８４】
上記の無線送信装置であって、前記第１の通信システムはＬＴＥであり、前記第２の通信システムはＬＴＥ−Ａであり、前記リソース設定部は、前記特定のリソース単位における時間方向で最終シンボルであって、制御フォーマット通知チャネルの周波数配置に対応する位置に前記第２の参照信号を配置するリソース設定を行う無線送信装置。
【００８５】
周波数−時間領域に定義された複数のリソースを用いて通信を行う無線受信装置における無線通信方法であって、無線送信装置から第１の通信システム用の第１の参照信号に加えて、第２の通信システム用の第２の参照信号が伝送される際、前記第２の参照信号用リソースとして、前記周波数−時間領域に定義されたリソース単位のうちの時間方向で後半側のシンボルが用いられる場合に、この第２の参照信号用のリソース配置情報を取得するステップと、前記送信装置から伝送される前記第２の参照信号を含む信号を受信するステップと、前記リソース配置情報に基づき、特定のリソース単位における時間方向で後半側のシンボルに配置された前記第２の参照信号を用いて伝送路のチャネル品質を測定するステップと、前記チャネル品質を示すチャネル品質情報を含むフィードバック情報を前記送信装置へ送信するステップと、を有する無線通信方法。
【００８６】
周波数−時間領域に定義された複数のリソースを用いて通信を行う無線送信装置における無線通信方法であって、無線受信装置に対して第１の通信システム用の第１の参照信号に加えて、第２の通信システム用の第２の参照信号を伝送する際、前記第２の参照信号用リソースとして、前記周波数−時間領域に定義されたリソース単位のうちの時間方向で後半側のシンボルを用いる場合のリソース設定を行うステップと、前記第２の参照信号用のリソース設定に基づき、前記第２の参照信号を生成して特定のリソース単位における時間方向で後半側のシンボルに配置するステップと、前記第２の参照信号を含む信号を前記受信装置へ送信するステップと、前記受信装置から通知されるフィードバック情報を受信してこのフィードバック情報に含まれるチャネル品質情報を取得するステップと、前記チャネル品質情報に基づき、伝送信号に関する周波数スケジューリング、適応ＭＣＳ制御の少なくとも一方を含むスケジューリングを行うステップと、を有する無線通信方法。
【００８７】
上記構成により、第１の通信システム用の第１の参照信号に加えて、第２の通信システム用の第２の参照信号を送信する場合に、周波数−時間領域に定義されたリソース単位のうちの時間方向で後半側のシンボルを用いて第２の参照信号を送信することで、第１の通信システムのみに対応する受信装置に対して影響を及ぼすリソースを最小限にすることができる。この際、データはリソースの先頭からシステマティックビット、パリティビットが配置され、このデータのシステマティックビット部分に第２の参照信号が位置しないようになる。よって、第１の通信システムのみに対応する受信装置を割り当てて多重するような場合であっても、この端末用データのシステマティックビットが第２の参照信号によりパンクチャされる可能性を小さくできるので、復調性能劣化が発生する可能性を小さくできる。これにより、スループットの劣化を防ぐことが可能となる。
【００８８】
また、第２の参照信号を配置するにあたり、特定のリソース単位における時間方向で末尾から２シンボルまでの位置、最終シンボルの位置などに配置するのが好ましい。また、周波数方向では、特定の制御情報の配置に対応する位置に配置することで、制御情報の周波数リソース通知を流用でき、第２の参照信号をシステム帯域内に広く分散させて配置することが可能になる。ここで、第１の通信システム及び第２の通信システムとして、ＬＴＥ及びＬＴＥ−Ａに対応させる場合は、制御フォーマット通知チャネル（ＰＣＦＩＣＨ）の周波数配置に対応させて第２の参照信号を配置するのが好ましい。この場合、ＬＴＥ端末を多重した場合であっても、第２の参照信号はパリティビットの割り当てられる確率が高い位置のシンボルに配置され、ＬＴＥ端末用データのシステマティックビットがパンクチャされる可能性を小さくできるので、ＬＴＥ端末における復調性能劣化を回避できる。これにより、スループットの劣化を防止できる。
【００８９】
本出願は、２００９年３月１６日出願の日本特許出願（特願２００９−０６３１２０）に基づくものであり、その内容はここに参照として取り込まれる。
【産業上の利用可能性】
【００９０】
本発明は、第１の通信システム用の第１の参照信号に加えて、第２の通信システム用の第２の参照信号を送信する場合に、第１の通信システムのみに対応する受信装置に対して影響を及ぼすリソースを最小限にすることができ、スループットの劣化を防ぐことが可能となる効果を有し、セルラーシステム等の無線通信システムに適用可能な無線受信装置及び無線送信装置、並びに無線通信方法等として有用である。
【符号の説明】
【００９１】
１１１ａ、１１１ｂ  アンテナ
１１２ａ、１１２ｂ  受信ＲＦ部
１１３  チャネル推定部
１１４  ＣＱＩ測定部
１１５  ＭＩＭＯ復調部
１１６  復号部
１１７  ＣＲＣ検査部
１１８  フィードバック情報生成部
１１９  符号化部
１２０  多重部
１２１  送信ＲＦ部
１２２  制御信号復調部
２３１ｍ、２３１ｎ  端末用信号処理部
２３２  符号化・変調部
２３３  プリコーディング処理部
２３４ａ〜２３４ｄ、２３４ｅ〜２３４ｈ  送信ＲＦ部
２３５ａ〜２３５ｄ、２３５ｅ〜２３５ｈ  アンテナ
２３６  スケジューリング部
２３７  ＣＳＩ−ＲＳ配置設定部
２３８  ＣＳＩ−ＲＳ生成部
２３９  ＬＴＥ用４ＲＳ生成部
２４１  受信ＲＦ部
２４２  分離部
２４３  復調・復号部
２４４  ＣＲＣ検査部
【図１】
2014143693.tif 000003
【図２】
2014143693.tif 000004
【図３】
2014143693.tif 000005
【図４】
2014143693.tif 000006
【図５】
2014143693.tif 000007
【図６】
2014143693.tif 000008
【図７】
2014143693.tif 000009
【図８】
2014143693.tif 000010
【図９】
2014143693.tif 000011
【図１０】
2014143693.tif 000012
【図１１】
2014143693.tif 000013
【図１２】
2014143693.tif 000014
【図１３】
2014143693.tif 000015